(57)【要約】【課題】シャッタ駆動時のノイズを軽減することの可能なエレクトレット駆動装置、光学機器及び静電駆動装置を有する電子機器並びにカメラを提供することである。【解決手段】エレクトレットシャッタ４０は、先幕４３ａ及び後幕４３ｂと、該先幕４３ａ及び後幕４３ｂを駆動する駆動電極が配設された固定子４６ａ及び４６ｂとを有している。上記先幕４３ａ及び後幕４３ｂと、固定子４６ａ及び４６ｂは、導電性材料で構成された台板４１とカバー４２により挟み込まれるように保持されている。そして、台板４１、カバー４２が、固定ねじ５６ａ〜５６ｄでシャーシ２７の取付部２９ａ〜２９ｄに固定されることにより、カメラ本体のエレクトレット制御駆動装置のグランドに接続される。【選択図】      図５
2005354371.tif 000002
【特許請求の範囲】
【請求項１】
エレクトレットから成る移動体と、該移動体を駆動する固定子と、を有する電子機器に用いられるエレクトレット駆動装置に於いて、
上記移動体と、上記移動体を保持する台板を導電性材料で構成し、上記台板を上記電子機器のグランドに接続していることを特徴とするエレクトレット駆動装置。
【請求項２】
請求項１に記載のエレクトレット駆動装置に於いて、上記台板は、上記電子機器のグランドに固定されることを特徴とするエレクトレット駆動装置。
【請求項３】
請求項２に記載のエレクトレット駆動装置に於いて、上記エレクトレット駆動装置は、上記電子機器のグランドと接続され、上記エレクトレット駆動装置を駆動する駆動制御装置のグランドと接続されていることを特徴とするエレクトレット駆動装置。
【請求項４】
請求項１に記載のエレクトレット駆動装置に於いて、上記エレクトレット駆動装置は、少なくとも導電性のカバー部材と上記台板とで挟まれ、該導電性のカバー部材と上記台板とは電気的に接続されていることを特徴とするエレクトレット駆動装置。
【請求項５】
請求項４に記載のエレクトレット駆動装置に於いて、上記カバー部材は、上記固定部材の側面方向を覆うように形成されたことを特徴とするエレクトレット駆動装置。
【請求項６】
被写体光束が通過する領域を遮蔽する位置に移動可能な移動部材と、
上記移動部材を静電駆動するための複数の駆動電極が設けられた固定部材と、
導電性材料で構成され、上記移動部材と上記固定部材を挟み込むように保持する保持部材と、
を具備し、
上記保持部材は、該保持部材が固定される電子機器のグランドに接続されることを特徴とする光学機器。
【請求項７】
上記保持部材は、少なくとも上記移動部材と上記固定部材と対向して該移動部材及び固定部材を挟み込むように第１のカバー部材と第２のカバー部材とで構成され、上記電子機器のグランドと電気的に接続されていることを特徴とする請求項６に記載の光学機器。
【請求項８】
上記保持部材は、上記固定部材の側面方向を覆うように形成されたことを特徴とする請求項７に記載の光学機器。
【請求項９】
上記第１のカバー部材及び第２のカバー部材の少なくとも一方は、上記固定部材の側面方向を覆うように形成されたことを特徴とする請求項７に記載の光学機器。
【請求項１０】
所定方向に移動可能な移動部材と、上記移動部材を静電駆動するための複数の駆動電極が設けられた固定部材と、導電性材料で構成され、上記移動部材と上記固定部材を挟み込むように保持する保持部材と、を備えた静電駆動装置を有する電子機器に於いて、
上記保持部材は、上記電子機器のグランドに接続されていることを特徴とする静電駆動装置を有する電子機器。
【請求項１１】
上記保持部材は、少なくとも上記移動部材と上記固定部材と対向して該移動部材及び固定部材を挟み込むように第１のカバー部材と第２のカバー部材とで構成されることを特徴とする請求項１０に記載の静電駆動装置を有する電子機器。
【請求項１２】
上記保持部材は、上記固定部材の側面方向を覆うように形成されたことを特徴とする請求項１１に記載の静電駆動装置を有する電子機器。
【請求項１３】
上記第１のカバー部材及び第２のカバー部材の少なくとも一方は、上記固定部材の側面方向を覆うように形成されたことを特徴とする請求項１１に記載の静電駆動装置を有する電子機器。
【請求項１４】
被写体を撮像するための撮像素子と、
上記被写体の光束が通過する開口を遮蔽する位置に移動可能な移動部材と、該移動部材を静電駆動するための複数の駆動用電極が設けられた固定部材と、を有して上記撮像素子の前面に配置された静電シャッタ装置と、
導電性材料で構成され、上記静電シャッタ装置の移動部材と固定部材を挟み込むように保持する保持部材と、
を具備し、
上記保持部材は、該保持部材が固定される電子機器のグランドに接続されることを特徴とするカメラ。
【請求項１５】
上記保持部材は、少なくとも上記移動部材と上記固定部材と対向して該移動部材及び固定部材を挟み込むように第１のカバー部材と第２のカバー部材とで構成され、上記電子機器のグランドと電気的に接続されていることを特徴とする請求項１４に記載のカメラ。
【請求項１６】
上記保持部材は、上記固定部材の側面方向を覆うように形成されたことを特徴とする請求項１５に記載のカメラ。
【請求項１７】
上記第１のカバー部材及び第２のカバー部材の少なくとも一方は、上記固定部材の側面方向を覆うように形成されたことを特徴とする請求項１５に記載のカメラ。
【発明の詳細な説明】
【技術分野】
【０００１】
本発明はエレクトレット駆動装置に関し、より詳細には、エレクトレット化部位を有したシャッタを用いたエレクトレット駆動装置、光学機器及び静電駆動装置を有する電子機器並びにカメラに関するものである。
【背景技術】
【０００２】
従来、カメラ等の光学機器に於けるシャッタ装置に於いては、シャッタ羽根をステップモータで駆動する方式や、スプリング力を利用してシャッタ羽根を開閉させる方式のものが知られている。しかしながら、これらの方式によるものは、シャッタ羽根を駆動する駆動装置の駆動力をシャッタ羽根に伝達するために複雑な構造を必要としていた。
【０００３】
そこで、遮光フィルムで形成したシャッタ幕を静電アクチュエータの原理を用いて駆動することにより、軽量化、低コスト化した、極めて簡単な構造のシャッタ装置が提案されている（例えば、特許文献１参照）。
【特許文献１】特開平８−２２０５９２号公報
【発明の開示】
【発明が解決しようとする課題】
【０００４】
ところで、上記特許文献１に記載されたような静電アクチュエータの原理を用いたシャッタ装置（以下、静電シャッタ装置と記す）に於いては、そのシャッタの駆動時に高周波のノイズが発生する。そのため、電磁波による種々の問題が発生する懸念がある。
【０００５】
しかしながら、上記特許文献１には、こうしたノイズに関する対策については開示がなされていない。
【０００６】
したがって本発明は、上記実状に鑑みてなされたものであり、シャッタ駆動時のノイズを軽減することの可能なエレクトレット駆動装置、光学機器及び静電駆動装置を有する電子機器並びにカメラを提供することを目的とする。
【課題を解決するための手段】
【０００７】
すなわち、請求項１に記載の発明は、エレクトレットから成る移動体と、該移動体を駆動する固定子と、を有する電子機器に用いられるエレクトレット駆動装置に於いて、上記移動体と、上記移動体を保持する台板を導電性材料で構成し、上記台板を上記電子機器のグランドに接続していることを特徴とする。
【０００８】
請求項２に記載の発明は、請求項１に記載の発明に於いて、上記台板は、上記電子機器のグランドに固定されることを特徴とする。
【０００９】
請求項３に記載の発明は、請求項２に記載の発明に於いて、上記エレクトレット駆動装置は、上記電子機器のグランドと接続され、上記エレクトレット駆動装置を駆動する駆動制御装置のグランドと接続されていることを特徴とする。
【００１０】
請求項４に記載の発明は、請求項１に記載の発明に於いて、上記エレクトレット駆動装置は、少なくとも導電性のカバー部材と上記台板とで挟まれ、該導電性のカバー部材と上記台板とは電気的に接続されていることを特徴とする。
【００１１】
請求項５に記載の発明は、請求項４に記載の発明に於いて、上記カバー部材は、上記固定部材の側面方向を覆うように形成されたことを特徴とする。
【００１２】
請求項６に記載の発明は、被写体光束が通過する領域を遮蔽する位置に移動可能な移動部材と、上記移動部材を静電駆動するための複数の駆動電極が設けられた固定部材と、導電性材料で構成され、上記移動部材と上記固定部材を挟み込むように保持する保持部材と、を具備し、上記保持部材は、該保持部材が固定される電子機器のグランドに接続されることを特徴とする。
【００１３】
請求項７に記載の発明は、請求項６に記載の発明に於いて、上記保持部材は、少なくとも上記移動部材と上記固定部材と対向して該移動部材及び固定部材を挟み込むように第１のカバー部材と第２のカバー部材とで構成され、上記電子機器のグランドと電気的に接続されていることを特徴とする。
【００１４】
請求項８に記載の発明は、請求項７に記載の発明に於いて、上記保持部材は、上記固定部材の側面方向を覆うように形成されたことを特徴とする。
【００１５】
請求項９に記載の発明は、請求項７に記載の発明に於いて、上記第１のカバー部材及び第２のカバー部材の少なくとも一方は、上記固定部材の側面方向を覆うように形成されたことを特徴とする。
【００１６】
請求項１０に記載の発明は、所定方向に移動可能な移動部材と、上記移動部材を静電駆動するための複数の駆動電極が設けられた固定部材と、導電性材料で構成され、上記移動部材と上記固定部材を挟み込むように保持する保持部材と、を備えた静電駆動装置を有する電子機器に於いて、上記保持部材は、上記電子機器のグランドに接続されていることを特徴とする。
【００１７】
請求項１１に記載の発明は、請求項１０に記載の発明に於いて、上記保持部材は、少なくとも上記移動部材と上記固定部材と対向して該移動部材及び固定部材を挟み込むように第１のカバー部材と第２のカバー部材とで構成されることを特徴とする。
【００１８】
請求項１２に記載の発明は、請求項１１に記載の発明に於いて、上記保持部材は、上記固定部材の側面方向を覆うように形成されたことを特徴とする。
【００１９】
請求項１３に記載の発明は、請求項１１に記載の発明に於いて、上記第１のカバー部材及び第２のカバー部材の少なくとも一方は、上記固定部材の側面方向を覆うように形成されたことを特徴とする。
【００２０】
請求項１４に記載の発明は、被写体を撮像するための撮像素子と、上記被写体の光束が通過する開口を遮蔽する位置に移動可能な移動部材と、該移動部材を静電駆動するための複数の駆動用電極が設けられた固定部材と、を有して上記撮像素子の前面に配置された静電シャッタ装置と、導電性材料で構成され、上記静電シャッタ装置の移動部材と固定部材を挟み込むように保持する保持部材と、を具備し、上記保持部材は、該保持部材が固定される電子機器のグランドに接続されることを特徴とする。
【００２１】
請求項１５に記載の発明は、請求項１４に記載の発明に於いて、上記保持部材は、少なくとも上記移動部材と上記固定部材と対向して該移動部材及び固定部材を挟み込むように第１のカバー部材と第２のカバー部材とで構成され、上記電子機器のグランドと電気的に接続されていることを特徴とする。
【００２２】
請求項１６に記載の発明は、請求項１５に記載の発明に於いて、上記保持部材は、上記固定部材の側面方向を覆うように形成されたことを特徴とする。
【００２３】
請求項１７に記載の発明は、請求項１５に記載の発明に於いて、上記第１のカバー部材及び第２のカバー部材の少なくとも一方は、上記固定部材の側面方向を覆うように形成されたことを特徴とする。
【発明の効果】
【００２４】
本発明によれば、シャッタ駆動時のノイズを軽減することの可能なエレクトレット駆動装置、光学機器及び静電駆動装置を有する電子機器並びにカメラを提供することができる。
【発明を実施するための最良の形態】
【００２５】
以下、図面を参照して、本発明の実施形態を説明する。
【００２６】
はじめに、本発明に係る静電シャッタ装置の駆動原理について、図１及び図２を参照して説明する。
【００２７】
本シャッタ装置は、基本的に固定子１と移動子２とを備えており、移動子２は固定子１に対して図１（ａ）及び（ｂ）に於いて左右方向に移動自在に構成されている。そして、固定子１には、被写体からの光像を撮像素子（図示せず）に導くための開口部３が設けられている。更に、この固定子１には、上記移動子２の移動方向と直交する方向に、帯状の複数の延出された駆動電極４が所定の間隔で並設されている。
【００２８】
上記移動子２は、後述する永久分極された、延出された誘導体（以下、エレクトレットと称する）５の部位を複数備えている。
【００２９】
このような構成に於いて、駆動電極４に周波電圧を印加すると、駆動電極４と上述したエレクトレットとの間に吸引力若しくは反発力が発生し、結果的に移動子２が固定子１に対して相対移動する。したがって、移動子２が固定子１の開口部３を、開放若しくは遮蔽するように移動可能にしておけば、これによってシャッタ装置を構成することができる。
【００３０】
図１（ａ）はシャッタが開の状態を示し、図１（ｂ）はシャッタが閉の状態を示している。尚、固定子１に開口部３は必ずしも必要なものではなく、固定子１を透過部材として、図１（ａ）に示されるように、駆動電極４が設けられていない領域、すなわち、透過領域を形成しても良い。以下、被写体光束が通過するこのような領域を便宜的に開口部と称する。また、本構成に係るシャッタ装置を、エレクトレットシャッタと称するものとする。
【００３１】
図２は、こうしたエレクトレットシャッタの断面を模式的に示すと共に該エレクトレットシャッタの駆動回路を示した図である。
【００３２】
エレクトレットシャッタ７に於いて、固定子１に並設されたそれぞれの駆動電極４には、駆動回路１０からの電圧信号線が接続されている。これらの電圧信号線には、４相の電圧信号が印加されるようになっており、従って、駆動電極４には、４本毎に同一の電圧信号が印加される。図２では、駆動電極４にＡ、Ｂ、Ｃ、Ｄの符号を付してこの電圧信号を区別している。
【００３３】
移動子２には、固定子１との対向面に永久分極された誘導体（エレクトレット）５を複数備えている。
【００３４】
尚、この図は、あくまでも模式図であり、実際のエレクトレットシャッタに於ける電極やエレクトレット化部位の数や配置間隔は、シャッタの大きさ、開口部の面積、エレクトレット化部位の極性、その配置形態、シャッタ装置として要求される駆動分解能、シャッタ最高速度等の様々な要因によって適宜決定されるものである。また、このエレクトレットシャッタの場合、正負の極性を有するエレクトレット化部位が交互に配置されたタイプであるが、何れか一方の極性だけでも実現可能である。
【００３５】
図２の左側には、上述したエレクトレットシャッタ７の構成と共に、エレクトレットシャッタ７に印加する電圧信号を発生するための駆動回路１０の構成が示されている。
【００３６】
パルス発生回路１２で生成した矩形波列（駆動パルス信号）は、位相器１３及び昇圧回路１４に供給される。昇圧回路１４では、入力された矩形波列が１００Ｖ程度まで昇圧されると共に、２つの極性を有する電圧信号に分岐されて、駆動電極４Ａ及び４Ｃに供給される。一方、位相器１３に入力された矩形波列は、９０°位相が遅れた波形となり、その後、昇圧回路１４に入力されて、上述と同様の２つの矩形波列となり、駆動電極４Ｂ及び４Ｄに供給される。
【００３７】
図３は、上記駆動回路１０によって作成されて、駆動電極４Ａ〜４Ｄに印加される電圧信号列の例を示したタイミングチャートである。このうち、図３（ａ）は駆動電極４Ａ、図３（ｂ）は駆動電極４Ｂ、図３（ｃ）は駆動電極４Ｃ、図３（ｄ）は駆動電極４Ｄのタイミングチャートである。
【００３８】
尚、駆動電極４Ａ〜４Ｄの電圧の状態は、時間ｔ１〜ｔ４の４つの状態が、時間経過に対応して繰り返して変化するものである。
【００３９】
図４（ａ）〜（ｄ）は、上述したエレクトレットシャッタ７の動作を説明する図である。尚、図４（ａ）〜（ｄ）に於いて、同図右側方向をエレクトレットの進行方向として、後方側（左側）に正極（プラス）のエレクトレット（エレクトレット化部位）５ａ、前方側（右側）に負極（マイナス）のエレクトレット（エレクトレット化部位）５ｂが配列されているものとする。
【００４０】
図４（ａ）は、図３に示される時間ｔ１に切り替わった直後のエレクトレットと駆動電極４の電圧の状態（極性）を示している。
【００４１】
この状態に於いて、正極のエレクトレット５ａは、駆動電極Ａ（正極）から反発力を受け、駆動電極Ｂ（負極）から吸引力を受ける。また、負極のエレクトレット５ｂは、駆動電極Ｃ（負極）から反発力を受け、駆動電極Ｄ（正極）から吸引力を受ける。このため、移動子２は、図４（ａ）の右方向に力を受けて、１つの駆動電極ピッチｄ分右方向に移動する。
【００４２】
図４（ｂ）は、時間ｔ２に切り替わった直後のエレクトレットと駆動電極の電圧の状態を示している。
【００４３】
この状態に於いて、エレクトレット５ａは、駆動電極Ｂ（正極）から反発力を受け、駆動電極Ｃ（負極）から吸引力を受ける。また、エレクトレット５ｂは、駆動電極Ｄ（負極）から反発力を受け、駆動電極Ａ（正極）から吸引力を受ける。このため、移動子２は、図４（ｂ）の右方向に力を受けて、１つの駆動電極ピッチｄ分移動する。
【００４４】
同様に、図４（ｃ）は、時間ｔ３に切り替わった直後のエレクトレットと駆動電極の電圧の状態を示している。
【００４５】
この状態に於いて、エレクトレット５ａは、駆動電極Ｃ（正極）から反発力を受け、駆動電極Ｄ（負極）から吸引力を受ける。また、エレクトレット５ｂは、更に別の駆動電極Ａ（負極）から反発力を受け、駆動電極Ｂ（正極）から吸引力を受ける。このため、移動子２は、図４（ｃ）の右方向に力を受けて、１つの駆動電極ピッチｄ分移動する。
【００４６】
更に、図４（ｄ）は、時間ｔ４に切り替わった直後のエレクトレットと駆動電極の電圧の状態を示している。
【００４７】
この状態に於いて、エレクトレット５ａは、駆動電極Ｄ（正極）から反発力を受け、駆動電極Ａ（負極）から吸引力を受ける。また、エレクトレット５ｂは、駆動電極Ｂ（負極）から反発力を受け、駆動電極Ｃ（正極）から吸引力を受ける。このため、移動子２は、図４（ｄ）の右方向に力を受けて、１つの駆動電極ピッチｄ分移動する。
【００４８】
上述したように、移動子２は１つの駆動電極ピッチｄ移動し、この動作が繰り返されることで、移動子２は図４（ａ）→（ｂ）→（ｃ）→（ｄ）のように右方向（図示矢印Ｆ方向）に移動する。尚、移動子２を図の左方向に移動するためには、駆動電極４に印加する電圧の極性を逆に切り替えれば良い。
【００４９】
次に、本発明の実施形態について説明する。
【００５０】
（第１の実施形態）
図５は本発明の第１の実施形態に係るエレクトレットシャッタを搭載したデジタル一眼レフカメラの概略配置構成を示した図である。
【００５１】
図５に於いて、このデジタル一眼レフカメラは、ボディユニット２０と、このボディユニット２０の前面部に、ボディマウント２３及びレンズマウント２４を介して装着される、例えばアクセサリ装置として交換可能な撮影レンズ２１と、を有して構成されている。
【００５２】
ボディユニット２０内には、後述するミラーユニット２８及びエレクトレットシャッタ（静電シャッタ）４０を搭載したシャーシ２７と、ペンタプリズム３２及びルーペレンズ３５と、光学ローパスフィルタ３７と、撮像素子としてのイメージャ３８とを有している。
【００５３】
上記ミラーユニット２８は、シャーシ２７の取付部２９内に収容されるように取り付けられている。このミラーユニット２８は、上述した撮影レンズ２１内の図示されないレンズ群の光軸上に配置されたメインミラー３０及びフォーカシングスクリーン３１を有して構成される。
【００５４】
上記メインミラー３０は、撮影光路内、光路外に回動可能にして設けられるもので、被写体観察時は実線で示される位置に配置され、撮像動作時は二点鎖線で示される位置に配置される。そして、メインミラー３０で反射された被写体光束は、フォーカシングスクリーン３１、ペンタプリズム３２を介してループレンズ３５を通して撮影者の眼に至る。
【００５５】
また、エレクトレットシャッタ４０は、シャーシ２７の取付部２９に取り付けられている。このエレクトレットシャッタ４０の後方（図５に於いて右側）には、光学ローパスフィルタ３７及びイメージャ３８が、配置されている。そして、撮像動作時は、撮影レンズ２１を介して入射された被写体光束が、エレクトレットシャッタ４０、光学ローパスフィルタ３７を介して、イメージャ３８に結像される。
【００５６】
次に、図６乃至図８を参照して、上述したシャーシ２７とエレクトレットシャッタ４０の構成について説明する。
【００５７】
図６はシャーシ２７とエレクトレットシャッタ４０の取り付け状態を示す組立図、図７はエレクトレットシャッタ４０の構造を示すもので台板４１を透視して示した正面図、図８はシャーシ２７とエレクトレットシャッタ４０の構成を示す組立図である。
【００５８】
シャーシ２７は、例えばアルミダイキャスト等の導電性材料により構成されるもので、各取付部２９ａ〜２９ｄには、それぞれねじ穴２７ａ〜２７ｄが形成されている。これらのねじ穴２７ａ〜２７ｄに、エレクトレットシャッタ４０のカバー部材としての台板（第１のカバー部材）４１及びカバー（第２のカバー部材）４２に形成された取り付け孔４１ａ〜４１ｄ及び４２ａ〜４２ｄを介して、固定ねじ５６ａ〜５６ｄが螺合することにより、エレクトレットシャッタ４０はシャーシ２７に当接され、固定される。
【００５９】
上記エレクトレットシャッタ４０は、それぞれ独立して、撮影時に図示矢印Ｆ方向（横方向）に走行する先幕（シャッタ先幕）４３ａと、後幕（シャッタ後幕）４３ｂとを有するフォーカルプレーンシャッタである。この先幕４３ａ、後幕４３ｂは第１及び第２の移動部材（移動部材）に相当し、上述したエレクトレット（エレクトレット化部位；図示せず）を備えている。そして、それぞれのエレクトレットの対向面側には、複数の帯状の延出された電極部材である駆動電極５８ａ、５８ｂと、被写体光束が通過する領域である開口部（または透過部）４５ａ、４５ｂが設けられた固定子（固定部材、電極部材）４６ａ、４６ｂが配設されている。
【００６０】
上記先幕４３ａ、後幕４３ｂは、それぞれ固定子４６ａ、４６ｂの長手方向に対して、移動自在に構成されている。そして、上記複数の電極は、上記固定子４６ａ、４６ｂ上で、上記先幕４３ａ、後幕４３ｂの移動方向と直交する方向に所定の間隔で並設されている。
【００６１】
上記エレクトレットシャッタ４０の被写体側（図６、図８に於いて左側）には、開口部４５が形成された台板４１が、そしてイメージャ側（図６、図８に於いて右側）には開口部５５が形成されたカバー４２が、それぞれ固定子４６ａ、４６ｂと対向するようにして設けられている。これらの台板４１及びカバー４２は、該エレクトレットシャッタ４０の保護部材を兼用している。尚、上記台板４１及びカバー４２は、導電体、例えばアルミニウム、カーボン含有の導電性材料で構成されている。
【００６２】
また、固定子４６ａと台板４１との間で、その四辺の端部近傍には、封止部材４８が配設されている。同様に、固定子４６ａと固定子４６ｂとの間で、その四辺の端部近傍には、封止部材４９が配設されている。更に、台板４１の固定子４６ａと対向する面側で、開口部４５の上下には、先幕４３ａの走行方向に沿ってガイド５１、５２が設けられている。また、固定子４６ａが固定子４６ｂと対向する面側で、開口部４５ａの上下には、後幕４３ｂの走行方向に沿ってガイド５３、５４が設けられている。これらのガイド５１、５２及び５３、５４は、先幕４３ａ及び後幕４３ｂの走行を補助するためのものである。
【００６３】
尚、上記固定子４６ａ、４６ｂは、ガラス等を基板として構成されており、その表面に駆動電極（図示せず）が形成され、更に該駆動電極上に絶縁膜（図示せず）が設けられている。この絶縁膜が施されることにより、隣接する駆動電極間の短絡を防止している。
【００６４】
一方、先幕４３ａ、後幕４３ｂは、ポリイミドやテフロン（登録商標）が基材として用いられており、遮光材料を塗布する等の遮光処理が施されている。これにより、遮光幕としての機能を有することができる。したがって、エレクトレットシャッタ４０内の光の乱反射を防止することができる。
【００６５】
そして、これら先幕４３ａ、後幕４３ｂとして使用される基材（フィルム膜）の一方の面、この場合駆動電極と対向する面側には、コロナ放電法により複数のエレクトレットが形成されている（これをエレクトレット化するという）。本実施形態に於いては、正負の極性を有するエレクトレット化部位が交互に配置されている（例えば、図４のエレクトレット５ａ、５ｂ参照）。
【００６６】
また、上述した固定子４６ａ、４６ｂの開口部４５ａ、４５ｂは、台板４１の開口部４５及びカバー４２の開口部５５と対応する位置に設けられている。これにより、開口部４５より取り込まれた被写体光が、光電変換素子であるイメージャ３８に導かれ、このイメージャ３８により当該被写体の像が光電変換されることを可能にする。
【００６７】
固定子４６ａ、４６ｂ及び先幕４３ａ、後幕４３ｂは、台板４１とカバー４２の間に収容されている。そして、シャーシ２７の取付部２９ａ〜２９ｄに形成されたねじ穴２７ａ〜２７ｄに、カバー４２の取り付け孔４２ａ〜４２ｄと、台板４１の取り付け孔４１ａ〜４１ｄを介して、固定ねじ５６ａ〜５６ｄが螺合することにより、エレクトレットシャッタ４０がシャーシ２７に固定される。
【００６８】
すなわち、エレクトレットシャッタ４０は、被写体側からイメージャ３８の前面の光学ローパスフィルタ３７までの光軸方向に於いて、シャーシ２７の後方に台板４１、先幕４３ａ、固定子４６ａ、後幕４３ｂ、固定子４６ｂ、カバー４２が、順次並んでいる。
【００６９】
シャーシ２７は、例えば、図９に示されるシャッタ駆動制御回路（駆動制御装置、電子機器）７０のグランドと接続されている。したがって、台板４１が固定ねじ５６ａ〜５６ｄによってシャーシ２７に固定されることにより、エレクトレットシャッタ４０のグランドとシャーシ２７のグランドが接続される。
【００７０】
図９は、シャッタ駆動制御回路７０とエレクトレットシャッタ４０との信号接続を示す構成図である。
【００７１】
エレクトレットシャッタ４０には、上述したように、先幕４３ａと後幕４３ｂが備えられており、そのそれぞれの幕を駆動するために、図２に示されたものと同様の構成の位相器７２ａ、７２ｂを含む駆動回路７３ａ、７３ｂが２系統設けられている。パルス発生回路７１は、図示されないカメラのマイクロコンピュータ（ＣＰＵ）からの開閉制御信号に基づいて先幕４３ａと後幕４３ｂを駆動する。これにより、カメラのシャッタレリーズ画行われると、先幕４３ａ、後幕４３ｂに設けられた永久分極された誘導体（エレクトレット）４７ａ、４７ｂが、駆動電極５８ａ、５８ｂのＡ〜Ｄに順次吸引され、先幕４３ａと後幕４３ｂが駆動される。こうして、開口部４５等の全開全閉動作が制御される。当然、シャッタレリーズの直前の開口部４５は、先幕４３ａで全閉され、後幕４３ｂは開口部４５ａより退避した位置にある。
【００７２】
ここで、カメラのエレクトレットシャッタ４０が駆動されると、固定子４６ａ、４６ｂから電磁ノイズが発生する。ここで、台板４１はアルミニウム板で作製されており、上記固定子４６ａ、４６ｂを覆うようにして形成されている。したがって、固定子４６ａ、４６ｂで発生した電磁ノイズは、台板４１の面で吸収され、シャーシ２７を通じてシャッタ駆動制御回路７０のグランドに放出される。このようにして、エレクトレットシャッタ４０内に発生したノイズは、グランドに放出される。
【００７３】
尚、エレクトレットシャッタ４０は、先幕４３ａ、後幕４３ｂに誘導される電荷を利用するのではなく、エレクトレットに永久分極されている電荷を利用するため、幕の立ち上がり時間を短縮してシャッタ動作を高速化することができる。
【００７４】
加えて、エレクトレットの電荷量は任意に与えることが可能であることから、駆動力が最大となるような最適の電荷量を与えることができ、極めて大きな駆動力を得ることができる。したがって、イメージャ３８のサイズに応じた最適なエレクトレットシャッタ４０を構成することができる。
【００７５】
更に、先幕４３ａ、後幕４３ｂは素材として樹脂材料を用いることができるため、軽量である。例えば、先幕４３ａ、後幕４３ｂは、１０〜２０μｍの薄い膜で形成することが可能である。それ故、動作に必要な電力量は少なく、且つ静かな動作を実現することができる。
【００７６】
（第２の実施形態）
次に、本発明の第２の実施形態について説明する。
【００７７】
上述した第１の実施形態では、エレクトレットシャッタの固定子の両側の面を覆うように台板及びカバーを形成していたが、これに限られるものではない。以下に述べる第２の実施形態は、例えばカバーを固定子の周囲方向にも形成した例についてのものである。
【００７８】
図１０は、本発明に係る第２の実施形態のエレクトレットシャッタの構成を示した組立図である。
【００７９】
尚、この第２の実施形態は、上述した第１の実施の形態とはカバーの形状が異なるだけであり、その他の構成及び動作等については、基本的に図５乃至図９に示されたものと同様であるので、同一の部分には同一の参照番号を付して、その図示及び説明は省略する。
【００８０】
図１０に於いて、本エレクトレットシャッタ（静電シャッタ装置）６２は、駆動電極５８ａが配設された固定子４６ａと、駆動電極５８ｂが配設された固定子４６ｂと、先幕４３ａ及び後幕４３ｂが、台板４１とカバー６０の間に収容されている。カバー６０には、上記台板４１の取り付け孔４１ａ〜４１ｄと対応する位置に取り付け孔６０ａ〜６０ｄが形成されている。
【００８１】
そして、カバー６０の長手方向及び該長手方向と直交する方向の端部に、それぞれ台板４１に向けて折り曲げられた立ち曲げ部６１ａ〜６１ｄが形成されている。これらの立ち曲げ部６１ａ〜６１ｄは、カバー６２が、図１０には示されないが固定ねじによって、取り付け孔６１ａ〜６１ｄ、取り付け孔４１ａ〜４１ｄを介してシャーシ２７に取り付けられた状態で、固定子４６ａ、４６ｂの四辺の端部を覆うように形成されている。
【００８２】
すなわち、固定子４６ａ、４６ｂの面側へ放出される電磁ノイズは台板４１及びカバー６０により吸収され、固定子４６ａ、４６ｂの側方へ放出される電磁ノイズは立ち曲げ部６１ａ〜６１ｄにより吸収される。そして、吸収されたノイズは、カバー６０、台板４１、シャーシ２７を通じて、上述したように図示されない駆動回路のグランドに放出される。
【００８３】
このように構成することにより、立ち曲げ部を追加することにより、上述した第１の実施形態を上回る効果を得ることができる。
【００８４】
尚、上記シャーシは、一般に一眼レフレックスカメラの前板と称されるものである。
【００８５】
尚、上述した実施形態に於いては、シャッタ先幕及び後幕がエレクトレット化部位を有するエレクトレットシャッタについて説明したが、これに限られるものではなく、エレクトレット化部位を持たない静電シャッタ装置としても適用可能である。
【００８６】
以上、本発明の実施形態について説明したが、本発明は上述した実施形態以外にも、本発明の要旨を逸脱しない範囲で種々の変形実施が可能である。
【図面の簡単な説明】
【００８７】
【図１】本発明に係る静電シャッタ装置の駆動原理について説明する図である。
【図２】エレクトレットシャッタの断面を模式的に示すと共に該エレクトレットシャッタの駆動回路を示した原理説明図である。
【図３】図２の駆動回路１０によって作成されて、駆動電極４Ａ〜４Ｄに印加される電圧信号列の例を示したもので、（ａ）は駆動電極４Ａ、（ｂ）は駆動電極４Ｂ、（ｃ）は駆動電極４Ｃ、（ｄ）は駆動電極４Ｄのタイミングチャートである。
【図４】図２に示されるエレクトレットシャッタ７の動作を説明する図である。
【図５】本発明の第１の実施形態に係るエレクトレットシャッタを搭載したデジタル一眼レフカメラの概略配置構成を示した図である。
【図６】シャーシ２７とエレクトレットシャッタ４０の構成について説明するもので、図５のシャーシ２７とエレクトレットシャッタ４０の取り付け状態を示す組立図である。
【図７】シャーシ２７とエレクトレットシャッタ４０の構成について説明するものであって、エレクトレットシャッタ４０の構造を示すもので台板４１を透視して示した正面図である。
【図８】シャーシ２７とエレクトレットシャッタ４０の構成について説明するもので、シャーシ２７とエレクトレットシャッタ４０の構成を示す組立図である。
【図９】シャッタ駆動制御回路７０とエレクトレットシャッタ４０との信号接続を示す構成図である。
【図１０】本発明に係る第２の実施形態のエレクトレットシャッタの構成を示した組立図である。
【符号の説明】
【００８８】
１、４６ａ、４６ｂ…固定子、２…移動子、３、４５、４５ａ、４５ｂ、５５…開口部、４、４Ａ〜４Ｄ、５８ａ、５８ｂ…駆動電極、５、５ａ、５ｂ…永久分極された誘導体（エレクトレット）、７、４０、６２…エレクトレットシャッタ、１０…駆動回路、１２…パルス発生回路、１３…位相器、１４…昇圧回路、２０…ボディユニット、２１…撮影レンズ、２７…シャーシ、２７ａ〜２７ｄ…ねじ穴、２８…ミラーユニット、２９ａ〜２９ｄ…取付部、３０…メインミラー、３７…光学ローパスフィルタ、３８…イメージャ、４１…台板、４２、６０…カバー、４３ａ…先幕、４３ｂ…後幕、シャッタ駆動制御回路。
【図１】
2005354371.tif 000003
【図２】
2005354371.tif 000004
【図３】
2005354371.tif 000005
【図４】
2005354371.tif 000006
【図５】
2005354371.tif 000007
【図６】
2005354371.tif 000008
【図７】
2005354371.tif 000009
【図８】
2005354371.tif 000010
【図９】
2005354371.tif 000011
【図１０】
2005354371.tif 000012